(57)【特許請求の範囲】
【請求項１】
バッテリを装着するバッテリ装着手段と、
ICカードの挿抜口が前記バッテリ装着によりロックされる第１のロック手段と、
外部電源プラグが差し込まれているときに、前記ICカードの挿抜口をロックする第２のロック手段と、を備え、
前記第２のロック手段は、
前記ICカードの挿抜口を覆わない第１の位置と、前記ICカードの挿抜口の少なくとも一部を覆ってICカードを挿抜不能にする第２の位置とに移動可能なロック部材を備え、
前記外部電源プラグが差し込まれると、前記ロック部材が前記第１の位置から前記第２の位置に移動されることを特徴とする情報処理装置。
【請求項２】
前記第２のロック手段は、
前記ICカードの挿抜口を塞いでロックするロック棒と、前記ロック棒を引き込むバネと、前記ロック棒を押し出すモータを駆動する駆動手段と、を備え、
前記外部電源プラグ経由で電力が供給されているときに、前記モータを駆動して前記ロック棒を押し出すことで前記ICカードの挿抜口をロックすることを特徴とする請求項１記載の情報処理装置。
【請求項３】
前記第２のロック手段は、
前記ICカードの挿抜口を塞いでロックするロック棒と、前記ロック棒を引き込む永久磁石と、前記ロック棒を押し出す電磁石と、を備え、
前記外部電源プラグ経由で電力が供給されているときに、前記電磁石を制御して前記永久磁石より強い、前記ロック棒の逆極性の磁界を作り、前記ロック棒を押し出すことで前記ICカードの挿抜口をロックすることを特徴とする請求項１記載の情報処理装置。
【請求項４】
前記ロック部材が第１の位置にあるとき前記ICカードの挿抜口が筐体外部に露出していることを特徴とする請求項１から３のいずれか１項に記載の情報処理装置。
【請求項５】
前記ロック部材がICカード最大面と平行に移動されることを特徴とする請求項１から４のいずれか１項に記載の情報処理装置。
【請求項６】
バッテリを装着するステップと、
ICカードの挿抜口が前記バッテリ装着によりロックされる第１のロックステップと、
外部電源プラグが差し込まれているときに、前記ICカードの挿抜口をロックする第２のロックステップと、を有し、
前記第２のロックステップは、
前記ICカードの挿抜口を覆わない第１の位置と、前記ICカードの挿抜口の少なくとも一部を覆ってICカードを挿抜不能にする第２の位置とに移動可能なロック部材を備え、
前記外部電源プラグが差し込まれると、前記ロック部材が前記第１の位置から前記第２の位置に移動されることを特徴とするロック制御方法。
【請求項７】
バッテリを装着する処理と、
ICカードの挿抜口が前記バッテリ装着によりロックされる第１のロック処理と、
外部電源プラグが差し込まれているときに、前記ICカードの挿抜口をロックする第２のロック処理と、を有し、
前記第２のロック処理は、
前記ICカードの挿抜口を覆わない第１の位置と、前記ICカードの挿抜口の少なくとも一部を覆ってICカードを挿抜不能にする第２の位置とに移動可能なロック部材を備え、
前記外部電源プラグが差し込まれると、前記ロック部材が前記第１の位置から前記第２の位置に移動されることをコンピュータに実行させることを特徴とするロック制御プログラム。
【請求項８】
請求項７記載のロック制御プログラムの処理を記録するコンピュータ読取り可能な記録媒体。
【発明の詳細な説明】
【技術分野】
【０００１】
本発明は、情報処理装置、ロック制御方法、プログラム及び記録媒体に関し、特に通電状態によって活線挿抜を制限する情報処理装置、ロック制御方法、プログラム及び記録媒体に関する。
【背景技術】
【０００２】
SIM（Subscriber Identity Module）カード等のIC（Integrated Circuit）カードを装着可能な携帯端末装置が知られている。ICカードの接続端子に接触するICカード用端子を形成したコネクタと、バッテリの電源供給用の接続端子に接触するバッテリ用端子を形成したコネクタとが設けられていた。
【０００３】
上記のような携帯端末装置では、ICカード用とバッテリ用にコネクタを設けているため、部品点数が多く、コストがかかっていた。そこで、ICカードの接続端子に接触できるICカード用端子と前記バッテリの接続端子に接触するバッテリ用端子とを一体に形成したコネクタを本体部に設け、コスト削減及び小型化を図る携帯端末装置が提案されている（特許文献１参照）。
【０００４】
特許文献１で提案されている携帯端末装置は、本体部の背面にバッテリ装着部が設けられ、係合爪等によってバッテリを着脱可能に形成されている。バッテリは、バッテリ装着部に対面する側にICカード保持部が凹設されている。ICカード保持部は、ICカードを填め込んで保持できるようになっている。
【先行技術文献】
【特許文献】
【０００５】
【特許文献１】特開２００４−３１２４８１号公報
【発明の概要】
【発明が解決しようとする課題】
【０００６】
ICカードを挿入して使用している装置では、通電中にICカードが抜けると、活線挿抜状態となり、電気的にIC等が破壊されてしまうという問題がある。
【０００７】
特許文献１記載のような携帯端末装置では、バッテリに填め込まれたICカードはバッテリ装着部に対面する位置にあり、バッテリがバッテリ装着部に装着された状態ではICカードを抜くことが出来ない。すなわち、バッテリとバッテリ装着部とでICカードをロックした状態と言える。
【０００８】
ここで、パーソナルコンピュータ（ＰＣ、情報処理装置）を例に取ると、パーソナルコンピュータにおいてもバッテリパックの装着部にSIMカード等のICカードのスロットが設けられている構造が見受けられる。上記携帯端末装置と同様に、バッテリパックがICカードをロックする役割を担っている。
【０００９】
しかしながら、ＰＣはバッテリパックを外した状態でAC（Alternating Current）アダプタ（外部電源）により通電しながら使用することもでき、通電中にSIMカードの挿抜を行うことが可能となってしまう。そのため、活線挿抜状態となり、電気的にIC等が破壊されてしまう虞がある。
【００１０】
手動ロック付きのコネクタ等も提案されているが（ＷＯ００／０４６７４４）、手動で行う手間がかかり、ロックをし忘れる可能性もある。
【００１１】
本発明はこのような状況に鑑みてなされたものであり、通電状態によって活線挿抜を制限することを目的としている。
【課題を解決するための手段】
【００１２】
本発明に係る情報処理装置は、バッテリを装着するバッテリ装着手段と、ICカードの挿抜口が前記バッテリ装着によりロックされる第１のロック手段と、外部電源プラグが差し込まれているときに、前記ICカードの挿抜口をロックする第２のロック手段と、を備え、前記第２のロック手段は、前記ICカードの挿抜口を覆わない第１の位置と、前記ICカードの挿抜口の少なくとも一部を覆ってICカードを挿抜不能にする第２の位置とに移動可能なロック部材を備え、前記外部電源プラグが差し込まれると、前記ロック部材が前記第１の位置から前記第２の位置に移動されることを特徴とする。
【００１４】
本発明に係るロック制御方法は、バッテリを装着するステップと、ICカードの挿抜口が前記バッテリ装着によりロックされる第１のロックステップと、外部電源プラグが差し込まれているときに、前記ICカードの挿抜口をロックする第２のロックステップと、を有し、前記第２のロックステップは、前記ICカードの挿抜口を覆わない第１の位置と、前記ICカードの挿抜口の少なくとも一部を覆ってICカードを挿抜不能にする第２の位置とに移動可能なロック部材を備え、前記外部電源プラグが差し込まれると、前記ロック部材が前記第１の位置から前記第２の位置に移動されることを特徴とする。
【００１５】
本発明に係るロック制御プログラムは、バッテリを装着する処理と、ICカードの挿抜口が前記バッテリ装着によりロックされる第１のロック処理と、外部電源プラグが差し込まれているときに、前記ICカードの挿抜口をロックする第２のロック処理と、を有し、前記第２のロック処理は、前記ICカードの挿抜口を覆わない第１の位置と、前記ICカードの挿抜口の少なくとも一部を覆ってICカードを挿抜不能にする第２の位置とに移動可能なロック部材を備え、前記外部電源プラグが差し込まれると、前記ロック部材が前記第１の位置から前記第２の位置に移動されることをコンピュータに実行させることを特徴とする。
【００１６】
本発明に係る記録媒体は、上記本発明に係るロック制御プログラムの処理を記録するコンピュータ読取り可能な記録媒体である。
【発明の効果】
【００１７】
本発明によれば、通電状態によって活線挿抜を制限することが可能となる。
【図面の簡単な説明】
【００１８】
【図１】本発明の実施形態に係る情報処理装置のバッテリ装着部に設けられたカードスロットの周辺構成を示す図である。
【図２】本発明の第１の実施形態に係るロック制御部２の構成について説明するための斜視図である。
【図３】本発明の第２の実施形態に係るロック制御部２'の構成について説明するための図である。
【図４】本発明の第３の実施形態に係るロック制御について説明するための斜視図である。
【図５】本発明の第３の実施形態に係るロック制御について説明するための図である。
【図６】図５（ａ）、図５（ｂ）に示す場合の上面断面図である。
【発明を実施するための形態】
【００１９】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００２０】
以下に、通電状態によってICカード等の活線挿抜を制限する本発明の実施形態について説明する。ICカードの一例としてSIMカードを用いて説明する。
【００２１】
（第１の実施形態）
図１は、本発明の実施形態に係る情報処理装置のバッテリ装着部に設けられたカードスロットの周辺構成を示す図である。本体部１に、ロック制御部２、ロック棒３、カードスロット４、ＡＣプラグジャック５、ＡＣプラグ６（外部電源プラグ）、バッテリ装着部７が、設けられている。
【００２２】
カードスロット４の挿抜口はバッテリ装着部７に設けられ、カードを挿入してからバッテリ装着部７にバッテリ（図示せず）を装着することで、通電中のカード挿抜が制限される。ここで問題となるのが、バッテリを外し、ＡＣプラグ６を挿入しているときに、通電中でもカード挿抜が可能となってしまう点である。
【００２３】
そこで、本実施形態では、図１に示すように、カードスロット４の横から挿抜口を塞ぐようスライド可能なロック棒３を設けることで、バッテリが装着されていない場合でもカードの挿抜を防止することが出来る。ここで一例としてロック棒３を用いているが、ICカードの挿抜口を塞がない第１の位置と、ICカードの挿抜口の少なくとも一部を塞いでICカードを挿抜不能にする第２の位置とに移動可能なロック部材であれば良い。
【００２４】
ロック棒３はロック制御部２により制御される。ロック制御部２は、ＡＣプラグジャックにＡＣプラグ６が接続されたことを検知した場合に、ロック棒３がカードスロット４の挿抜口を塞ぐよう制御する。
【００２５】
ロック制御部２の構成について図２を用いて詳述する。ロック棒３はロック制御部２から突出した構成となっており、内部ではロック棒３にバネ１１が設けられている。さらにロック棒３を駆動するモータ（ギア）８が設けられている。モータ８を制御するモータ制御回路９と、電源回路１０は、機能構成を示すために簡易的に表現されている。電源回路１０は、ＡＣプラグジャック５と接続し、ＡＣプラグ６から電力の供給を受け得る。
【００２６】
図２（ａ）は無通電時の場合について説明するための図である。ＡＣプラグジャック５にＡＣプラグ６が挿入されていない場合、モータ制御回路９はモータ８の制御を行わない。従ってモータは自由回転可能であり、バネ１１の作用によりロック棒３はロック制御部２内部に引き込まれ、ロック棒３の先端がカードスロット４の挿抜口を塞ぐことはない（図示せず）。したがって、バッテリが装着されていなければカードの挿抜が可能である。
【００２７】
図２（ｂ）は通電時の場合について説明するための図である。ＡＣプラグジャック５にＡＣプラグ６が挿入されている場合、モータ制御部９はモータ８の制御を行い、ロック棒３を押し出す。押し出されたロック棒３の先端がカードスロット４の挿抜口を塞ぐ（図１）ことで、バッテリが装着されていない場合でもカードの挿抜が不可能となる。
【００２８】
（第２の実施形態）
次に、ロック棒３の制御を永久磁石によって行う場合について図３を用いて説明する。本実施形態に係るロック制御部２'は、ロック棒を制御する構成として永久磁石１４と電磁石１２を備える。電磁石１２は、電磁石制御回路１３により制御される。
【００２９】
図３（ａ）は無通電時の場合について説明するための図である。ＡＣプラグジャック５にＡＣプラグ６が挿入されていない場合、電磁制御回路１３は電磁石３の制御を行わない。永久磁石１４の作用によりロック棒３がロック制御部２内部に引き込まれ、ロック棒３の先端がカードスロット４の挿抜口を塞ぐことはない（図示せず）。したがって、バッテリが装着されていなければカードの挿抜が可能である。
【００３０】
図３（ｂ）は通電時の場合について説明するための図である。ＡＣプラグジャック５にＡＣプラグ６が挿入されている場合、電磁制御回路１３は電磁石３の制御を行い、電磁石３によって永久磁石１４より強い逆極性の磁界が作られ、ロック棒３を押し出す。押し出されたロック棒３の先端がカードスロット４の挿抜口を塞ぐ（図１）ことで、バッテリが装着されていない場合でもカードの挿抜が不可能となる。
【００３１】
（第３の実施形態）
次に、電力を用いずロック棒３の制御を行う場合について図４を用いて説明する。ロック制御による電力消費を押えることが出来る。
【００３２】
本実施形態に係るロック制御は、ロック棒３'がＡＣプラグジャック５'から突出した構成となっている。本実施形態では、ＡＣプラグ６がＡＣプラグジャック５'に差し込まれた場合（通電時）に、ロック棒３'がカードスロット４の挿抜口を塞ぐよう押し出される。
【００３３】
さらに、図５及び図６を用いて本実施形態について詳述する。図５に示すように、ＡＣプラグジャック５'内部では、ロック棒３'にバネ１２が設けられている。
【００３４】
図５（ａ）は無通電時の場合について説明するための図である。ＡＣプラグジャック５'にＡＣプラグ６が挿入されていない場合、バネ１２の作用によりロック棒３がＡＣプラグジャック５'内部に引き込まれ、ロック棒３の先端がカードスロット４の挿抜口を塞ぐことはない。したがって、バッテリが装着されていなければカードの挿抜が可能である。
【００３５】
図５（ｂ）は通電時の場合について説明するための図である。ＡＣプラグジャック５'にＡＣプラグ６が挿入されている場合、ＡＣプラグ６の先端によりロック棒３が押し出される。押し出されたロック棒３がカードスロット４の挿抜口を塞ぐことで、バッテリが装着されていない場合でもカードの挿抜が不可能となる。
【００３６】
図６は、上記図５（ａ）、図５（ｂ）の場合の上面断面図である。
【００３７】
以上各実施形態において説明したように、外部電源プラグ（ＡＣプラグ）経由で電力を供給されているときに、SIMカード等のスロットをロックすることが出来る。従ってユーザは、ACアダプタ・バッテリの両方が未接続の状態時のみ、SIMカードの挿抜を行える。電気的に安全にSIMカードの抜き差しを行える。
【００３８】
なお、上記各実施形態における処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００３９】
以上、本発明を好適な実施形態に基づき具体的に説明したが、本発明は上記のものに限定されるものではなく、その要旨を逸脱しない範囲で種々変更可能であることは言うまでもない。
【符号の説明】
【００４０】
１    本体部
２    ロック制御部
３、３'    ロック棒
４    カードスロット
５、５'    ＡＣプラグジャック
６    ＡＣプラグ
７    バッテリ装着部
８    モータ（ギア）
９    モータ制御回路
１０    電源回路
１１    バネ
１２    電磁石
１３    電磁石制御回路
１４    永久磁石
【図１】
0005586305.tif 000002
【図２】
0005586305.tif 000003
【図３】
0005586305.tif 000004
【図４】
0005586305.tif 000005
【図５】
0005586305.tif 000006
【図６】
0005586305.tif 000007